(57)【要約】【課題】どの表示機器にコンテンツを表示できるかを直感的に知ることができ、さらに、自然な操作によりコンテンツを表示させることができるコンテンツ表示システムを提供する。【解決手段】各表示機器２は、コンテンツ表示要求が送信されたなら、表示操作要求画像を表示させる（Ｓ１３）。要求された操作が行われる（Ｓ１５）と、表示機器２は、表示操作情報を表示機器管理部１４に送信する（Ｓ１７）。電話装置１は、その表示操作情報を送信した表示機器２に対しコンテンツ表示命令を送信する（Ｓ１９）。【選択図】図２
2008276309.tif 000002
【特許請求の範囲】
【請求項１】
通信機器と複数の表示機器とを接続したコンテンツ表示システムにおいて、
前記通信機器は、
音声通話を実現する音声通話部と、
各表示機器の表示能力を含む表示機器情報が記憶される表示機器情報記憶部と、
各表示機器から送信される表示機器情報を前記表示機器情報記憶部に記憶させ、前記音声通話部の動作中にコンテンツの表示が必要になったなら、当該表示に必要な表示能力を含む表示機器情報を前記表示機器情報記憶部から検索し、この検索された表示機器情報に対応する表示機器に限ってコンテンツ表示要求を送信し、当該表示機器からコンテンツを表示させる操作があったことを示す表示操作情報が送信されたなら、当該表示操作情報を送信した表示機器に前記コンテンツを表示させる表示機器管理部とを備え、
各表示機器は、
表示部と、
前記コンテンツ表示要求が送信されたなら、コンテンツを表示させる操作を要求する表示操作要求画像を前記表示部に表示させる操作要求画像表示制御部と、
当該表示機器の表示能力を示す表示能力情報を前記表示機器管理部に送信し、前記操作があったなら、前記操作があったことを示す表示操作情報を前記表示機器管理部に送信する通信部とを備える
ことを特徴とするコンテンツ表示システム。
【請求項２】
通信機器と中継装置とを接続し、前記中継装置と複数の表示機器とを接続したコンテンツ表示システムにおいて、
前記通信機器は、
音声通話を実現する音声通話部を備え、
前記中継装置は、
前記音声通話の中継を実現する音声通話中継部と、
各表示機器の表示能力を含む表示機器情報が記憶される表示機器情報記憶部と、
各表示機器から送信される表示機器情報を前記表示機器情報記憶部に記憶させ、前記音声通話中継部の動作中にコンテンツの表示が必要になったなら、当該表示に必要な表示能力を含む表示機器情報を前記表示機器情報記憶部から検索し、この検索された表示機器情報に対応する表示機器に限ってコンテンツ表示要求を送信し、コンテンツ表示要求を送信し、当該表示機器からコンテンツを表示させる操作があったことを示す表示操作情報が送信されたなら、当該表示操作情報を送信した表示機器に前記コンテンツを表示させる表示機器管理部とを備え、
各表示機器は、
表示部と、
前記コンテンツ表示要求が送信されたなら、コンテンツを表示させる操作を要求する表示操作要求画像を前記表示部に表示させる操作要求画像表示制御部と、
当該表示機器の表示能力を示す表示能力情報を前記表示機器管理部に送信し、前記操作があったなら、前記操作があったことを示す表示操作情報を前記表示機器管理部に送信する通信部とを備える
ことを特徴とするコンテンツ表示システム。
【請求項３】
前記表示機器管理部は、
前記表示操作情報が送信されたなら、表示操作情報を送信しない表示機器に前記表示操作要求画像を消去させる
ことを特徴とする請求項１または２記載のコンテンツ表示システム。
【請求項４】
前記操作要求画像表示制御部は、
前記コンテンツ表示要求が送信されたなら、コンテンツが表示されるのを拒否する操作を要求する画像を前記表示部に表示させ、
前記通信部は、前記操作があったなら、前記操作があったことを示す表示拒否操作情報を前記表示機器管理部に送信し、
前記表示機器管理部は、
当該表示拒否操作情報が送信されたなら、コンテンツを表示させるのを中止する
ことを特徴とする請求項１ないし３のいずれかに記載のコンテンツ表示システム。
【請求項５】
通信機器と複数の表示機器とを接続したコンテンツ表示システムにおけるコンテンツ表示方法において、
前記通信機器は、
音声通話を実現する音声通話部と、
各表示機器の表示能力を含む表示機器情報を記憶する表示機器情報記憶部とを備え、
各表示機器は、
表示部を備え、
前記コンテンツ表示方法は、
前記通信機器の表示機器管理部が、前記音声通話部の動作中に、コンテンツの表示に必要な表示能力を含む表示機器情報を前記表示機器情報記憶部から検索するステップと、
当該表示機器管理部が、当該検索された表示機器情報に対応する表示機器に限ってコンテンツ表示要求を送信するステップと、
当該コンテンツ表示要求を送信された表示機器の操作要求画像表示制御部が、コンテンツを表示させる操作を要求する表示操作要求画像を表示部に表示させるステップと、
当該表示機器の通信部が、前記操作があったなら、前記操作があったことを示す表示操作情報を前記表示機器管理部に送信するステップと、
前記表示機器管理部が、当該表示機器に前記コンテンツを表示させるステップと
を備えることを特徴とするコンテンツ表示方法。
【請求項６】
通信機器と中継装置とを接続し、前記中継装置と複数の表示機器とを接続したコンテンツ表示システムにおけるコンテンツ表示方法において、
前記通信機器は、
音声通話を実現する音声通話部を備え、
前記中継装置は、
前記音声通話の中継を実現する音声通話中継部と、
各表示機器の表示能力を含む表示機器情報を記憶する表示機器情報記憶部とを備え、
各表示機器は、
表示部を備え、
前記コンテンツ表示方法は、
前記中継装置の表示機器管理部が、前記音声通話中継部の動作中に、コンテンツの表示に必要な表示能力を含む表示機器情報を前記表示機器情報記憶部から検索するステップと、
当該表示機器管理部が、当該検索された表示機器情報に対応する表示機器に限ってコンテンツ表示要求を送信するステップと、
当該コンテンツ表示要求を送信された表示機器の操作要求画像表示制御部が、コンテンツを表示させる操作を要求する表示操作要求画像を当該表示機器の表示部に表示させるステップと、
当該表示機器の通信部が、前記操作があったなら、前記操作があったことを示す表示操作情報を前記表示機器管理部に送信するステップと、
前記表示機器管理部が、当該表示機器に前記コンテンツを表示させるステップと
を備えることを特徴とするコンテンツ表示方法。
【請求項７】
各表示機器の通信部が、当該表示機器の表示能力を含む表示機器情報を前記表示機器管理部に送信するステップと、
前記表示機器管理部が、当該表示機器情報を前記表示機器情報記憶部に記憶させるステップと
を備えることを特徴とする請求項５または６記載のコンテンツ表示方法。
【請求項８】
前記表示機器管理部が、前記表示操作情報が送信されたなら、表示操作情報を送信しない表示機器に前記表示操作要求画像を消去させるステップと
を備えることを特徴とする請求項５ないし７のいずれかに記載のコンテンツ表示方法。
【発明の詳細な説明】
【技術分野】
【０００１】
本発明は、コンテンツ表示システムおよびコンテンツ表示方法に関するものである。
【背景技術】
【０００２】
ネットワークを利用した遠隔制御システムとして、例えば、特許文献１に開示されたものがある。このシステムでは、電話中の相手とウェブページなどを共有する際、そのようなコンテンツを電話装置の近傍にある表示機器に表示させる。このとき、電話装置に対し、赤外線通信やＲＦ−ＩＤなどの近接通信手段を用いた通信を行うことができる表示機器コンテンツを表示する。
【０００３】
また、その選択をユーザが行えるようにしたものが、例えば、特許文献２に開示されている。このシステムでは、ユーザが表示機器の一覧から表示先を選択する。
【０００４】
また、特許文献３に開示されたシステムでは、複数の機器による連係動作の一覧を表示し、その中からユーザが所望の連係動作を選択する。
【特許文献１】特許第３８７０８８２号明細書
【特許文献２】特許第３３８９２００号明細書
【特許文献３】特開２００５−３３２０７０号公報
【発明の開示】
【発明が解決しようとする課題】
【０００５】
特許文献１に開示されたシステムでは、ユーザが所望の表示機器を電話装置に近づけるのだが、その表示機器がコンテンツに応じた表示能力を有しない場合がある。例えば、電話装置の近くにテレビジョン受像機があるからといって、そのテレビジョン受像機では表示できないコンテンツがある。そのようなコンテンツは例えば、電話相手と共有するウェブページなどであり、そのコンテンツを表示できる表示機器があったとしても、それをユーザに知らせることができず、その表示機器も利用できない。
【０００６】
その点、特許文献２に開示されたシステムのように、表示機器の一覧や連係動作を一覧を表示させることでユーザへの通知は行える。しかし、一覧の中の表示機器が、目の前にあるどの表示機器なのかを知ることができないので、ユーザはその対応関係を記憶しておく必要がある。
【０００７】
また、特許文献３に開示されたシステムでも、一覧内の連係動作と実際の機器との対応関係をユーザへ提供することができない。
【０００８】
また、一覧の表示先は電話装置なので、例えば、携帯電話やコードレスフォンなどでは、それを耳にあてて使用するので、表示部に表示された一覧が見えないことがあり、よって、一覧表示には不便なことが多い。
【０００９】
本発明は、上記の課題に鑑みてなされたものであり、その目的とするところは、どの表示機器にコンテンツを表示できるかを直感的に知ることができ、さらに、自然な操作によりコンテンツを表示させることができるコンテンツ表示システムを提供することにある。
【課題を解決するための手段】
【００１０】
上記の課題を解決するために、請求項１記載のコンテンツ表示システムは、通信機器と複数の表示機器とを接続したコンテンツ表示システムにおいて、前記通信機器は、音声通話を実現する音声通話部と、各表示機器の表示能力を含む表示機器情報が記憶される表示機器情報記憶部と、各表示機器から送信される表示機器情報を前記表示機器情報記憶部に記憶させ、前記音声通話部の動作中にコンテンツの表示が必要になったなら、当該表示に必要な表示能力を含む表示機器情報を前記表示機器情報記憶部から検索し、この検索された表示機器情報に対応する表示機器に限ってコンテンツ表示要求を送信し、当該表示機器からコンテンツを表示させる操作があったことを示す表示操作情報が送信されたなら、当該表示操作情報を送信した表示機器に前記コンテンツを表示させる表示機器管理部とを備え、各表示機器は、表示部と、前記コンテンツ表示要求が送信されたなら、コンテンツを表示させる操作を要求する表示操作要求画像を前記表示部に表示させる操作要求画像表示制御部と、当該表示機器の表示能力を示す表示能力情報を前記表示機器管理部に送信し、前記操作があったなら、前記操作があったことを示す表示操作情報を前記表示機器管理部に送信する通信部とを備えることを特徴とする。
【００１１】
請求項１記載の本発明によれば、表示機器管理部は、音声通話部の動作中にコンテンツの表示が必要になったなら、当該表示に必要な表示能力を含む表示機器情報を表示機器情報記憶部から検索し、この検索された表示機器情報に対応する表示機器に限ってコンテンツ表示要求を送信し、各表示機器の操作要求画像表示制御部は、コンテンツ表示要求が送信されたなら、コンテンツを表示させる操作を要求する表示操作要求画像を表示させるので、ユーザはどの表示機器にコンテンツを表示できるかを直感的に知ることができる。さらに、表示機器の通信部は、その操作があったなら、操作があったことを示す表示操作情報を表示機器管理部に送信し、表示機器管理部は、表示操作情報が送信されたなら、当該表示操作情報を送信した表示機器にコンテンツを表示させるので、自然な操作によりコンテンツを表示させることができる。また、表示機器の選択に通信機器を使用しないので、その選択を通話中であっても行うことができる。
【００１２】
請求項２記載のコンテンツ表示システムは、通信機器と中継装置とを接続し、前記中継装置と複数の表示機器とを接続したコンテンツ表示システムにおいて、前記通信機器は、音声通話を実現する音声通話部を備え、前記中継装置は、前記音声通話の中継を実現する音声通話中継部と、各表示機器の表示能力を含む表示機器情報が記憶される表示機器情報記憶部と、各表示機器から送信される表示機器情報を前記表示機器情報記憶部に記憶させ、前記音声通話中継部の動作中にコンテンツの表示が必要になったなら、当該表示に必要な表示能力を含む表示機器情報を前記表示機器情報記憶部から検索し、この検索された表示機器情報に対応する表示機器に限ってコンテンツ表示要求を送信し、当該表示機器からコンテンツを表示させる操作があったことを示す表示操作情報が送信されたなら、当該表示操作情報を送信した表示機器に前記コンテンツを表示させる表示機器管理部とを備え、各表示機器は、表示部と、前記コンテンツ表示要求が送信されたなら、コンテンツを表示させる操作を要求する表示操作要求画像を前記表示部に表示させる操作要求画像表示制御部と、当該表示機器の表示能力を示す表示能力情報を前記表示機器管理部に送信し、前記操作があったなら、前記操作があったことを示す表示操作情報を前記表示機器管理部に送信する通信部とを備えることを特徴とする。
【００１３】
請求項２記載の本発明によれば、表示機器管理部は、音声通話中継部の動作中にコンテンツの表示が必要になったなら、当該表示に必要な表示能力を含む表示機器情報を表示機器情報記憶部から検索し、この検索された表示機器情報に対応する表示機器に限ってコンテンツ表示要求を送信し、各表示機器の操作要求画像表示制御部は、コンテンツ表示要求が送信されたなら、コンテンツを表示させる操作を要求する表示操作要求画像を表示させるので、ユーザはどの表示機器にコンテンツを表示できるかを直感的に知ることができる。さらに、表示機器の通信部は、その操作があったなら、操作があったことを示す表示操作情報を表示機器管理部に送信し、表示機器管理部は、表示操作情報が送信されたなら、当該表示操作情報を送信した表示機器にコンテンツを表示させるので、自然な操作によりコンテンツを表示させることができる。また、表示機器の選択に通信機器を使用しないので、その選択を通話中であっても行うことができる。
【００１４】
請求項３記載のコンテンツ表示システムは、請求項１または２記載のコンテンツ表示システムにおいて、前記表示機器管理部は、前記表示操作情報が送信されたなら、表示操作情報を送信しない表示機器に前記表示操作要求画像を消去させることを特徴とする。
【００１５】
請求項３記載の本発明によれば、表示機器管理部は、表示操作情報が送信されたなら、表示操作情報を送信しない表示機器に表示操作要求画像を消去させるので、操作がもはや必要でないことをユーザに知らせることができる。
【００１６】
請求項４記載のコンテンツ表示システムは、請求項１ないし４のいずれかに記載のコンテンツ表示システムにおいて、前記操作要求画像表示制御部は、前記コンテンツ表示要求が送信されたなら、コンテンツが表示されるのを拒否する操作を要求する画像を前記表示部に表示させ、前記通信部は、前記操作があったなら、前記操作があったことを示す表示拒否操作情報を前記表示機器管理部に送信し、前記表示機器管理部は、当該表示拒否操作情報が送信されたなら、コンテンツを表示させるのを中止することを特徴とする。
【００１７】
請求項４記載の本発明によれば、操作要求画像表示制御部は、コンテンツ表示要求が送信されたなら、コンテンツが表示されるのを拒否する操作を要求する画像を表示部に表示させ、通信部は、操作があったなら、操作があったことを示す表示拒否操作情報を表示機器管理部に送信し、表示機器管理部は、表示拒否操作情報が送信されたなら、コンテンツを表示させるのを中止するので、コンテンツが表示されないようにすることができる。
【００１８】
請求項５記載のコンテンツ表示方法は、通信機器と複数の表示機器とを接続したコンテンツ表示システムにおけるコンテンツ表示方法において、前記通信機器は、音声通話を実現する音声通話部と、各表示機器の表示能力を含む表示機器情報を記憶する表示機器情報記憶部とを備え、各表示機器は、表示部を備え、前記コンテンツ表示方法は、前記通信機器の表示機器管理部が、前記音声通話部の動作中に、コンテンツの表示に必要な表示能力を含む表示機器情報を前記表示機器情報記憶部から検索するステップと、当該表示機器管理部が、当該検索された表示機器情報に対応する表示機器に限ってコンテンツ表示要求を送信するステップと、当該コンテンツ表示要求を送信された表示機器の操作要求画像表示制御部が、コンテンツを表示させる操作を要求する表示操作要求画像を表示部に表示させるステップと、当該表示機器の通信部が、前記操作があったなら、前記操作があったことを示す表示操作情報を前記表示機器管理部に送信するステップと、前記表示機器管理部が、当該表示機器に前記コンテンツを表示させるステップとを備えることを特徴とする。
【００１９】
請求項５記載の本発明によれば、コンテンツ表示方法は、通信機器の表示機器管理部が、音声通話部の動作中に、コンテンツの表示に必要な表示能力を含む表示機器情報を表示機器情報記憶部から検索するステップと、表示機器管理部が、当該検索された表示機器情報に対応する表示機器に限ってコンテンツ表示要求を送信するステップと、コンテンツ表示要求を送信された表示機器の操作要求画像表示制御部が、コンテンツを表示させる操作を要求する表示操作要求画像を表示部に表示させるステップとを備えるので、ユーザはどの表示機器にコンテンツを表示できるかを直感的に知ることができる。さらに、表示機器の通信部が、操作があったなら、操作があったことを示す表示操作情報を表示機器管理部に送信するステップと、表示機器管理部が、表示機器にコンテンツを表示させるステップとを備えるので、自然な操作によりコンテンツを表示させることができる。また、表示機器の選択に通信機器を使用しないので、その選択を通話中であっても行うことができる。
【００２０】
請求項６記載のコンテンツ表示方法は、通信機器と中継装置とを接続し、前記中継装置と複数の表示機器とを接続したコンテンツ表示システムにおけるコンテンツ表示方法において、前記通信機器は、音声通話を実現する音声通話部を備え、前記中継装置は、前記音声通話の中継を実現する音声通話中継部と、各表示機器の表示能力を含む表示機器情報を記憶する表示機器情報記憶部とを備え、各表示機器は、表示部を備え、前記コンテンツ表示方法は、前記中継装置の表示機器管理部が、前記音声通話中継部の動作中に、コンテンツの表示に必要な表示能力を含む表示機器情報を前記表示機器情報記憶部から検索するステップと、当該表示機器管理部が、当該検索された表示機器情報に対応する表示機器に限ってコンテンツ表示要求を送信するステップと、当該コンテンツ表示要求を送信された表示機器の操作要求画像表示制御部が、コンテンツを表示させる操作を要求する表示操作要求画像を当該表示機器の表示部に表示させるステップと、当該表示機器の通信部が、前記操作があったなら、前記操作があったことを示す表示操作情報を前記表示機器管理部に送信するステップと、前記表示機器管理部が、当該表示機器に前記コンテンツを表示させるステップとを備えることを特徴とする。
【００２１】
請求項６記載の本発明によれば、コンテンツ表示方法は、通信機器の表示機器管理部が、音声通話中継部の動作中に、コンテンツの表示に必要な表示能力を含む表示機器情報を表示機器情報記憶部から検索するステップと、表示機器管理部が、当該検索された表示機器情報に対応する表示機器に限ってコンテンツ表示要求を送信するステップと、コンテンツ表示要求を送信された表示機器の操作要求画像表示制御部が、コンテンツを表示させる操作を要求する表示操作要求画像を表示部に表示させるステップとを備えるので、ユーザはどの表示機器にコンテンツを表示できるかを直感的に知ることができる。さらに、表示機器の通信部が、操作があったなら、操作があったことを示す表示操作情報を表示機器管理部に送信するステップと、表示機器管理部が、表示機器にコンテンツを表示させるステップとを備えるので、自然な操作によりコンテンツを表示させることができる。また、表示機器の選択に通信機器を使用しないので、その選択を通話中であっても行うことができる。
【００２２】
請求項７記載のコンテンツ表示方法は、請求項５または６記載のコンテンツ表示方法において、各表示機器の通信部が、当該表示機器の表示能力を含む表示機器情報を前記表示機器管理部に送信するステップと、前記表示機器管理部が、当該表示機器情報を前記表示機器情報記憶部に記憶させるステップとを備えることを特徴とする。
【００２３】
請求項７記載の本発明によれば、各表示機器の通信部が、表示機器の表示能力を含む表示機器情報を表示機器管理部に送信するステップと、表示機器管理部が、表示機器情報を表示機器情報記憶部に記憶させるステップとを備えるので、表示機器管理部が表示機器情報記憶部から表示機器情報を検索できる。
【００２４】
請求項８記載のコンテンツ表示方法は、請求項５ないし７のいずれかに記載のコンテンツ表示方法において、前記表示機器管理部が、前記表示操作情報が送信されたなら、表示操作情報を送信しない表示機器に前記表示操作要求画像を消去させるステップとを備えることを特徴とする。
【００２５】
請求項８記載の本発明によれば、表示機器管理部が、表示操作情報が送信されたなら、表示操作情報を送信しない表示機器に表示操作要求画像を消去させるステップを備えるので、操作がもはや必要でないことをユーザに知らせることができる。
【発明の効果】
【００２６】
本発明によれば、表示機器管理部は、音声通話部や音声通話中継部の動作中にコンテンツの表示が必要になったなら、当該表示に必要な表示能力を含む表示機器情報を表示機器情報記憶部から検索し、この検索された表示機器情報に対応する表示機器に限ってコンテンツ表示要求を送信し、各表示機器の操作要求画像表示制御部は、コンテンツ表示要求が送信されたなら、コンテンツを表示させる操作を要求する表示操作要求画像を表示させるので、ユーザはどの表示機器にコンテンツを表示できるかを直感的に知ることができる。さらに、表示機器の通信部は、その操作があったなら、操作があったことを示す表示操作情報を表示機器管理部に送信し、表示機器管理部は、表示操作情報が送信されたなら、当該表示操作情報を送信した表示機器にコンテンツを表示させるので、自然な操作によりコンテンツを表示させることができる。また、表示機器の選択に通信機器を使用しないので、その選択を通話中であっても行うことができる。
【００２７】
また、中継装置を用いることで、通信機器をアナログ式の電話装置とすることもできる。
【発明を実施するための最良の形態】
【００２８】
以下、本発明の実施の形態を図面を参照して説明する。
【００２９】
［第１の実施の形態］
図１は、本発明の第１の実施の形態に係るコンテンツ表示システムのブロック図である。本システムは、通話のための通信機器である電話装置１と該電話装置１の近傍にある複数の表示機器２を接続したものである。ここでは表示機器を２つだけ図示するがその数は３以上でもよい。
【００３０】
電話装置１は、電話部１１と、操作検出部１２と、表示機器情報記憶部１３と、表示機器管理部１４とを備える。電話装置１は、例えばアナログ式の電話装置である。
【００３１】
電話部１１は、音声通話を実現する音声通話部１１１と、表示可能なコンテンツおよび音声のコンテンツ（前者と区別すべく、「音声情報」といい、前者については単に「コンテンツ」という）を相手の電話装置１００と共有するための資料共有部１１２とを備える。電話部１１は、例えば、ＩＰ網を終端するモデムの機能を有し、これにより、モデムの機能に特化した中継装置を不要としている。
【００３２】
操作検出部１２は、電話装置１のユーザが行う操作を検出し、その操作に応じた制御命令を電話部１１に送信する。操作検出部１２は、電話部１１から送信される通話情報をユーザに通知する機能を兼ね備える。
【００３３】
表示機器情報記憶部１３には、各表示機器２についての表示機器情報が記憶される。表示機器情報は、対応する表示機器の表示能力を含み、さらには、例えばＩＰアドレスやポート番号を含む。
【００３４】
表示機器管理部１４は、表示機器情報記憶部１３の管理および表示機器２への制御命令の送信を行う。
【００３５】
表示機器２は、通信部２１と、ユーザインタフェース部２２と、表示部２３とを備える。表示部２３は、例えば、液晶表示機器で構成される。また、表示機器２は、図示しないが入力装置を有する。表示機器２がパーソナルコンピュータのときの入力装置はマウスやキーボードである。
【００３６】
通信部２１は、電話装置１との間で通信を行うものである。
【００３７】
ユーザインタフェース部２２は、操作要求画像表示制御部２２１と、コンテンツ表示制御部２２２とを備える。
【００３８】
操作要求画像表示制御部２２１は、コンテンツを表示させる操作を要求する表示操作要求画像２２１Ａを表示部２３に表示させるものであり、当該操作を検出する機能を兼ね備える。
【００３９】
なお、ユーザインタフェース部２２は、表示機器２自身のユーザインタフェースを備えていてもよい。
【００４０】
（第１の実施の形態の動作）
次に、第１の実施の形態に係るシステムの動作を説明する。
【００４１】
図２は、その動作を示すシーケンス図である。
【００４２】
各表示機器２の通信部２１は、表示機器２と電話装置１とが通信可能になったときまたは定期的に、当該表示機器２の表示能力を含む表示機器情報を表示機器管理部１４に送信する（Ｓ１）。表示機器情報で表示能力に相当するのは、例えば、表示可能なコンテンツの解像度、表示可能なコンテンツの種類、コンテンツのデコードに使用すべく備えたコーデックの名称やバージョン等を示す情報である。表示機器情報は、さらに、例えば、コンテンツを送受信するためのＩＰアドレスやポート番号を含む。
【００４３】
電話装置１の表示機器管理部１４は、表示機器情報が送信されるのを待機しており、送信された表示機器情報を受信して、表示機器情報記憶部１３に記憶させる。このとき、表示機器情報にその送信元を示す情報を対応づけておくことで、後からその表示機器情報を送信した表示機器２を知ることができる。
【００４４】
電話装置１の操作検出部１２は、電話番号を入力する操作などが行われたなら、その電話番号などを含む制御命令を電話部１１に送信し、これにより、電話装置１は、相手の電話装置１００との間で音声通話を開始する（Ｓ３）。音声通話を開始するにあたっては、電話装置１は電話装置１００との間で通話情報を送受信する。通話情報は、その音声通話とともに用いる音声情報やコンテンツの種類、その音声情報やコンテンツのデコードに使用すべきコーデックの名称やバージョン等を示す情報、その音声情報やコンテンツを送受信するためのＩＰアドレスやポート番号を含むものである。この通話情報により、音声情報やコンテンツの種類とその送受信方法が決定される。通話情報は、操作検出部１２を介してユーザに通知される。
【００４５】
なお、音声通話の途中で通話情報が送受信された場合は、その通話情報に基づき、音声情報やコンテンツの種類やその送受信方法を変更してもよい。通話情報の送受信機能は、例えば、ＩＰ電話の呼制御プロトコルとして最も一般的なSIP(Session Initiation Protocol)において提供される機能である。
【００４６】
通話中においては、電話装置１と電話装置１００の間で資料情報の送受信を行う場合がある（Ｓ５）。資料情報は、例えば、動画像や静止画像、文字情報、ウェブページなどの、いわゆるコンテンツの実体の場合と、このコンテンツの場所を示す情報（URL:Uniform Resource Locator)の場合とがある。
【００４７】
電話装置１の表示機器管理部１４は、電話部１１から通話情報または資料情報が送信されるのを待機しており、送信された通話情報にコンテンツに関する情報が含まれているか、または、資料情報が送信されたか否かを判定する（Ｓ７）。つまり、コンテンツの表示が必要か否かを判定する。
【００４８】
ステップＳ７において、コンテンツの表示が必要と判定した場合、表示機器管理部１４は、その表示に必要な表示能力を示す表示能力情報を含む表示機器情報を表示機器情報記憶部１３から検索する（Ｓ９）。
【００４９】
続いて表示機器管理部１４は、その検索された表示機器情報に対応する表示機器２に限ってコンテンツ表示要求を送信を送信する（Ｓ１１）。表示機器管理部１４は、ここでは、予め対応づけておいた送信元を示す情報に基づいて、どの表示機器２にコンテンツ表示要求を送信すべきかを判定する。
【００５０】
図２では、図示した２つの表示機器２の双方にコンテンツ表示要求を送信しているが、一方の表示機器情報だけが検索された場合は、その表示機器２にだけコンテンツ表示要求が送信される。
【００５１】
各表示機器２の操作要求画像表示制御部２２１は、コンテンツ表示要求が送信されたなら、表示操作要求画像２２１Ａを表示部２３に表示させる（Ｓ１３）。
【００５２】
図３は、表示操作要求画像２２１Ａの表示例である。この例は、表示機器２がパーソナルコンピュータのときを想定したものである。
【００５３】
表示操作要求画像２２１Ａにより要求された操作（例えば、マウスを操作して、カーソルを表示操作要求画像２２１Ａの位置に移動させ、マウスのボタンを押下する操作）が行われる（Ｓ１５）と、この操作を操作要求画像表示制御部２２１が検出する。
【００５４】
なお、表示機器２がテレビジョン受像機のときの表示操作要求画像２２１Ａは、例えば、そのテレビジョン受像機のリモートコントローラにおいて操作すべきボタンを知らせる画像とするのがよい。つまり、図３に示したものもそうであるように、表示操作要求画像２２１Ａは、行うべき操作を知らせる内容の画像であることが好ましい。
【００５５】
表示機器２の操作要求画像表示制御部２２１は、その操作があったなら、その操作があったことを示す表示操作情報を通信部２１に送信し、通信部２１は、その表示操作情報を表示機器管理部１４に送信する（Ｓ１７）。
【００５６】
表示機器管理部１４は、その表示操作情報が送信されたなら、その表示機器２に対し、コンテンツ表示命令を送信する（Ｓ１９）。このとき、表示機器管理部１４は、電話部１１から受信してあった通話情報または資料情報を表示機器２に送信する。通話情報または資料情報の送信は、ステップＳ１１で行ってもよい。
【００５７】
また、表示機器管理部１４は、表示操作情報を送信しない表示機器２に対し、コンテンツ表示要求の取り消しを通知する（Ｓ２１）。
【００５８】
コンテンツ表示命令などを送信された表示機器２の通信部２１は、送信される資料情報がコンテンツの実体であり、それがテレビ電話の映像のように一方的に送信されてくる場合は、そのコンテンツの受信ポートを用いて、コンテンツを受信し、それをコンテンツ表示制御部２２２が表示部２３に表示させる（Ｓ２３）。
【００５９】
一方、送信される資料情報がコンテンツの場所を示す情報である場合は、通信部２１は、その情報が示す場所からコンテンツを取得し、それをコンテンツ表示制御部２２２が表示させる（Ｓ２３）。
【００６０】
コンテンツ表示要求の取り消しを通知された表示機器２の操作要求画像表示制御部２２１は、それまで表示させていた表示操作要求画像２２１Ａを消去する（Ｓ２５）。このとき、操作要求画像表示制御部２２１は、他の表示機器２が選択された旨を表示させてもよい。
【００６１】
ところで、コンテンツをどの表示機器２にも表示させたくない場合がある。そのときのために、例えば、操作要求画像表示制御部２２１は、コンテンツ表示要求が送信されたなら、コンテンツが表示されるのを拒否する操作を要求する画像（「コンテンツをどの表示機器２にも表示させたくない場合はここをクリックしてください」という文を含む画像など）を例えば表示操作要求画像２２１Ａとともに表示部２３に表示させ、通信部２１は、その操作があったなら、その操作があったことを示す表示拒否操作情報を表示機器管理部１４に送信し、表示機器管理部１４は、その表示拒否操作情報が送信されたなら、コンテンツを表示させるのを中止するようにしてもよい。その際に表示機器管理部１４は、全ての表示機器２に対し、コンテンツ表示要求の取り消しを通知すればよい。
【００６２】
［第２の実施の形態］
図４は、本発明の第２の実施の形態に係るコンテンツ表示システムのブロック図である。本システムは、第１の実施の形態に係るコンテンツ表示システムと同様に表示機器を備え、それについては、符号２を付し、重複説明を省略する。
【００６３】
本システムは、電話装置１Ａと中継装置１Ｂを接続し、電話装置１の近傍にある複数の表示機器２と中継装置Ｂを接続したものである。ここでは表示機器を２つだけ図示するがその数は３以上でもよい。
【００６４】
電話装置１Ａと中継装置１Ｂは、それぞれ第１の実施の形態の電話装置１の構成要素の一部を備える。その構成要素には同一符号を付し、重複説明を省略する。
【００６５】
電話装置１Ａは、電話部１１Ａと操作検出部１２とを備える。電話部１１Ａは、電話部１１から資料共有部１１２を除いたものである。
【００６６】
中継装置１Ｂは、電話中継部１１Ｂと、表示機器情報記憶部１３と、表示機器管理部１４とを備える。中継装置１Ｂは、例えば、音声通話を中継する機能を有するホームゲートウェイ（ブロードバンドルータ、ＡＤＳＬモデム、ＶｏＩＰルータなど）に相当する。
【００６７】
電話中継部１１Ｂは、電話装置１Ａと相手の電話装置１００の間の音声通話の中継を実現する音声通話中継部１１１Ａと資料共有部１１２とを備える。
【００６８】
電話中継部１１Ｂは、例えば、ＩＰ網を終端するモデムの機能を有し、中継装置１Ｂは、その機能を有しない電話装置１Ａとは別に必要となる。
【００６９】
（第２の実施の形態の動作）
次に、第２の実施の形態に係るシステムの動作を説明する。
【００７０】
図５は、その動作を示すシーケンス図である。
【００７１】
各表示機器２の通信部２１は、表示機器２と中継装置１Ｂとが通信可能になったときまたは定期的に、当該表示機器２の表示能力を含む表示機器情報を表示機器管理部１４に送信する（Ｔ１）。表示機器情報で表示能力に相当するのは、例えば、表示可能なコンテンツの解像度、表示可能なコンテンツの種類、コンテンツのデコードに使用すべく備えたコーデックの名称やバージョン等を示す情報である。表示機器情報は、さらに、例えば、コンテンツを送受信するためのＩＰアドレスやポート番号を含む。
【００７２】
中継装置１Ｂの表示機器管理部１４は、表示機器情報が送信されるのを待機しており、送信された表示機器情報を受信して、表示機器情報記憶部１３に記憶させる。このとき、表示機器情報にその送信元を示す情報を対応づけておくことで、後からその表示機器情報を送信した表示機器２を知ることができる。
【００７３】
電話装置１Ａの操作検出部１２は、電話番号を入力する操作などが行われたなら、その電話番号などを含む制御命令を電話部１１に送信し、これにより、電話装置１Ａは、中継装置１Ｂを介して、相手の電話装置１００との間で音声通話を開始する（Ｔ３）。音声通話を開始するにあたっては、電話装置１Ａは中継装置１Ｂを介して電話装置１００との間で通話情報を送受信する。通話情報は、その音声通話とともに用いる音声情報やコンテンツの種類、その音声情報やコンテンツのデコードに使用すべきコーデックの名称やバージョン等を示す情報、その音声情報やコンテンツを送受信するためのＩＰアドレスやポート番号を含むものである。この通話情報により、音声情報やコンテンツの種類とその送受信方法が決定される。通話情報は、操作検出部１２を介してユーザに通知される。
【００７４】
なお、音声通話の途中で通話情報が送受信された場合は、その通話情報に基づき、音声情報やコンテンツの種類やその送受信方法を変更してもよい。通話情報の送受信機能は、例えば、ＩＰ電話の呼制御プロトコルとして最も一般的なSIP(Session Initiation Protocol)において提供される機能である。中継装置１ＢはSIPにおけるB2BUAとして動作し、通話情報だけでなく、通話に用いる音声データも中継する。
【００７５】
通話中においては、中継装置１Ｂと電話装置１００の間で資料情報の送受信を行う場合がある（Ｔ５）。資料情報は、例えば、動画像や静止画像、文字情報、ウェブページなどの、いわゆるコンテンツの実体の場合と、このコンテンツの場所を示す情報（URL:Uniform Resource Locator)の場合とがある。
【００７６】
中継装置１Ｂの表示機器管理部１４は、電話部１１から通話情報または資料情報が送信されるのを待機しており、送信された通話情報にコンテンツに関する情報が含まれているか、または、資料情報が送信されたか否かを判定する（Ｔ７）。つまり、コンテンツの表示が必要か否かを判定する。
【００７７】
ステップＳ７において、コンテンツの表示が必要と判定した場合、表示機器管理部１４は、その表示に必要な表示能力を示す表示能力情報を含む表示機器情報を表示機器情報記憶部１３から検索する（Ｔ９）。
【００７８】
続いて表示機器管理部１４は、その検索された表示機器情報に対応する表示機器２に限ってコンテンツ表示要求を送信する（Ｔ１１）。表示機器管理部１４は、ここでは、予め対応づけておいた送信元を示す情報に基づいて、どの表示機器２にコンテンツ表示要求を送信すべきかを判定する。
【００７９】
図５では、図示した２つの表示機器２の双方にコンテンツ表示要求を送信しているが、一方の表示機器情報だけが検索された場合は、その表示機器２にだけコンテンツ表示要求が送信される。
【００８０】
各表示機器２の操作要求画像表示制御部２２１は、コンテンツ表示要求が送信されたなら、図３に例示したような表示操作要求画像２２１Ａを表示部２３に表示させる（Ｔ１３）。なお、表示操作要求画像２２１Ａは、行うべき操作を知らせる内容の画像であることが好ましい。
【００８１】
表示操作要求画像２２１Ａにより要求された操作が行われる（Ｔ１５）と、この操作を操作要求画像表示制御部２２１が検出する。
【００８２】
表示機器２の操作要求画像表示制御部２２１は、その操作があったなら、その操作があったことを示す表示操作情報を通信部２１に送信し、通信部２１は、その表示操作情報を表示機器管理部１４に送信する（Ｔ１７）。
【００８３】
表示機器管理部１４は、その表示操作情報が送信されたなら、その表示機器２に対し、コンテンツ表示命令を送信する（Ｔ１９）。このとき、表示機器管理部１４は、電話部１１から受信してあった通話情報または資料情報を表示機器２に送信する。通話情報または資料情報の送信は、ステップＳ１１で行ってもよい。
【００８４】
また、表示機器管理部１４は、表示操作情報を送信しない表示機器２に対し、コンテンツ表示要求の取り消しを通知する（Ｔ２１）。
【００８５】
コンテンツ表示命令などを送信された表示機器２の通信部２１は、送信される資料情報がコンテンツの実体であり、それがテレビ電話の映像のように一方的に送信されてくる場合は、そのコンテンツの受信ポートを用いて、コンテンツを受信し、それをコンテンツ表示制御部２２２が表示部２３に表示させる（Ｔ２３）。
【００８６】
一方、送信される資料情報がコンテンツの場所を示す情報である場合は、通信部２１は、その情報が示す場所からコンテンツを取得し、それをコンテンツ表示制御部２２２が表示させる（Ｔ２３）。
【００８７】
コンテンツ表示要求の取り消しを通知された表示機器２の操作要求画像表示制御部２２１は、それまで表示させていた表示操作要求画像２２１Ａを消去する（Ｔ２５）。このとき、操作要求画像表示制御部２２１は、他の表示機器２が選択された旨を表示させてもよい。
【００８８】
また、コンテンツをどの表示機器２にも表示させたくない場合は、第１の実施の形態と同様に、コンテンツ表示要求が送信されたなら、操作要求画像表示制御部２２１が、コンテンツが表示されるのを拒否する操作を要求する画像を例えば表示操作要求画像２２１Ａとともに表示部２３に表示させ、通信部２１は、その操作があったなら、表示拒否操作情報を表示機器管理部１４に送信し、表示機器管理部１４は、その表示拒否操作情報が送信されたなら、コンテンツを表示させるのを中止するようにしてもよい。その際に表示機器管理部１４は、全ての表示機器２に対し、コンテンツ表示要求の取り消しを通知すればよい。
【００８９】
以上説明したように、第１、２の実施の形態に係るコンテンツ表示システムによれば、表示機器管理部１４は、音声通話部１１１や音声通話中継部１１１Ａの動作中にコンテンツの表示が必要になったなら、当該表示に必要な表示能力を含む表示機器情報を表示機器情報記憶部１３から検索し、この検索された表示機器情報に対応する表示機器２に限ってコンテンツ表示要求を送信し、各表示機器２の操作要求画像表示制御部２２１は、コンテンツ表示要求が送信されたなら、コンテンツを表示させる操作を要求する表示操作要求画像２２１Ａを表示させるので、ユーザはどの表示機器２にコンテンツを表示できるかを直感的に知ることができる。さらに、表示機器２の通信部２１は、その操作があったなら、操作があったことを示す表示操作情報を表示機器管理部１４に送信し、表示機器管理部１４は、表示操作情報が送信されたなら、当該表示操作情報を送信した表示機器２にコンテンツを表示させるので、自然な操作によりコンテンツを表示させることができる。また、表示機器２の選択に電話装置を使用しないので、その選択を通話中であっても行うことができる。
【００９０】
また、第２の実施の形態のように中継装置１Ｂを用いることで、アナログ式の電話装置１Ａを用いることができる。
【００９１】
また、各表示機器２の通信部２１が、表示機器２の表示能力を含む表示機器情報を表示機器管理部１４に送信し、表示機器管理部１４が、表示機器情報を表示機器情報記憶部１３に記憶させるので、表示機器管理部１４が表示機器情報記憶部１３から表示機器情報を検索できる。
【００９２】
また、表示機器管理部１４は、表示操作情報が送信されたなら、表示操作情報を送信しない表示機器に表示操作要求画像２２１Ａを消去させるので、操作がもはや必要でないことをユーザに知らせることができる。
【００９３】
また、操作要求画像表示制御部２２１は、コンテンツ表示要求が送信されたなら、コンテンツが表示されるのを拒否する操作を要求する画像を表示部に表示させ、通信部２１は、操作があったなら、操作があったことを示す表示拒否操作情報を表示機器管理部１４に送信し、表示機器管理部１４は、表示拒否操作情報が送信されたなら、コンテンツを表示させるのを中止するので、コンテンツが表示されないようにすることができる。
【００９４】
なお、第１、２の実施の形態に係るコンテンツ表示システムが行うコンテンツ表示方法または電話装置や中継装置や表示機器が行う方法をシステムや装置などに実行させるコンピュータプログラムは、半導体メモリ、磁気ディスク、光ディスク、光磁気ディスク、磁気テープなどのコンピュータ読み取り可能な記録媒体に格納し、陳列などして流通させたり、当該コンピュータプログラムをインターネットなどの通信網を介して伝送させてもよい。
【図面の簡単な説明】
【００９５】
【図１】本発明の第１の実施の形態に係るコンテンツ表示システムのブロック図である。
【図２】図１のシステムの動作を示すシーケンス図である。
【図３】表示操作要求画像２２１Ａの表示例である。
【図４】本発明の第２の実施の形態に係るコンテンツ表示システムのブロック図である。
【図５】図４のシステムの動作を示すシーケンス図である。
【符号の説明】
【００９６】
１、１Ａ、１００…電話装置
１Ｂ…中継装置
２…表示機器
１１、１１Ａ…電話部
１１Ｂ…電話中継部
１２…操作検出部
１３…表示機器情報記憶部
１４…表示機器管理部
２１…通信部
２２…ユーザインタフェース部
２３…表示部
１１１…音声通話部
１１１Ａ…音声通話中継部
１１２…資料共有部
２２１…操作要求画像表示制御部
２２１Ａ…表示操作要求画像
２２２…コンテンツ表示制御部
【図１】
2008276309.tif 000003
【図２】
2008276309.tif 000004
【図３】
2008276309.tif 000005
【図４】
2008276309.tif 000006
【図５】
2008276309.tif 000007